(57)【要約】【課題】簡単な構成で、回転ハンドルを所望の回転操作位置で一時的に固定させる。【解決手段】固定機構は、回転ハンドルと別々に回転する略円板状の押圧部材と、押圧部材の周壁面の少なくとも一部が接する可撓片を有し、押圧部材を囲むようにその基端がハンドル基部に固定される可撓部材と、可撓片を囲むような略円筒形状の壁部を有し、その基端が回転ハンドルに固定される保持部材と、を具備し、押圧部材の周壁面の可撓片と接する部分と、可撓片の内壁面の押圧部と接する部分の少なくともどちらか一方は、回転ハンドルの回転操作方向に向かってその回転軸線からの距離が徐々に短くなるように形成され、固定機構は、回転ハンドルの回転操作方向と同方向に回転操作された押圧部材が前記可撓部材に接する際に、可撓部材を押圧して外方に撓ませ、可撓部材を保持部材の壁部に圧接させることにより、回転ハンドルの動きを一時的に抑止する。【選択図】図１９
2015196039.tif 000002
【特許請求の範囲】
【請求項１】
遊技領域に向けて遊技球を発射すべく操作される発射操作装置が備えられた遊技機であって、
前記発射操作装置は
遊技機本体に取り付けられるハンドル基部と、
前記ハンドル基部に組み付けられ、回転操作の角度に基づいて遊技球の発射初速度を調整する回転ハンドルと、
前記ハンドル基部及び前記回転ハンドルに組み付けられ、該回転ハンドルの戻りを一時的に抑止する固定機構と、を備え、
前記固定機構は、
前記回転ハンドルと別々に回転する略円板状の押圧部材と、
前記押圧部材の周壁面の少なくとも一部が接する可撓片を有し、該押圧部材を囲むようにその基端が前記ハンドル基部に固定される可撓部材と、
前記可撓片を囲むような略円筒形状の壁部を有し、その基端が前記回転ハンドルに固定される保持部材と、を具備し、
前記押圧部材の周壁面の前記可撓片と接する部分と、前記可撓片の内壁面の前記押圧部と接する部分の少なくともどちらか一方は、前記回転ハンドルの回転操作方向に向かってその回転軸線からの距離が徐々に短くなるように形成され、
前記固定機構は、前記回転ハンドルの回転操作方向と同方向に回転操作された前記押圧部材が前記可撓部材に接する際に、該可撓部材を押圧して外方に撓ませ、該可撓部材を前記保持部材の壁部に圧接させることにより、前記回転ハンドルの動きを一時的に抑止するように構成した、ことを特徴とする遊技機。
【請求項２】
前記押圧部材の周壁面は、前記回転ハンドルの回転操作方向に向かって前記回転軸線からの距離が徐々に短くなるように略全周にわたって形成された略円弧状の弧状部と、その最長部分と最短部分が隣接する位置の段部とからなる、ことを特徴とする請求項１に記載の遊技機。
【請求項３】
前記可撓片の前記回転軸線方向の全長は、前記押圧部材と接する部分の厚さよりも長く、
前記押圧部材は、前記可撓片の先端側に接するように配置される、ことを特徴とする請求項１又は２に記載の遊技機。
【請求項４】
前記可撓片において、前記押圧部材と接する部分よりも基端側には、該押圧部材と接する部分の厚さに関わらず所定の厚さとなるように形成された支持部が設けられている、ことを特徴とする請求項３に記載の遊技機。
【請求項５】
前記可撓片の内周壁には、前記押圧部材の前記回転軸線方向における位置決めをするために、内方に突出する突条が周方向に形成されている、ことを特徴とする請求項１乃至４のいずれか１つに記載の遊技機。
【請求項６】
前記固定機構が、前記押圧部材を前記回転ハンドルの回転操作方向と逆方向に回転操作することにより機能するように、前記回転ハンドルの回転操作方向に向かって前記回転軸線からの距離が徐々に短くなるように形成するかわりに、前記回転ハンドルの回転操作方向に向かって前記回転軸線からの距離が徐々に長くなるように形成した、ことを特徴とする請求項１乃至５のいずれか１つに記載の遊技機。
【請求項７】
前記押圧部材を前記可撓部材の代わりに前記ハンドル基部に固定し、前記可撓部材を前記押圧部材の代わりに回転操作可能とした、ことを特徴とする請求項１乃至６のいずれか１つに記載の遊技機。
【発明の詳細な説明】
【技術分野】
【０００１】
本発明は、パチンコ玉（遊技球）で遊技をする遊技機に係り、特に、遊技球の発射初速度を可変する回転型の遊技球発射ハンドルを備えたパチンコ等の遊技機に関する。
【背景技術】
【０００２】
パチンコ等の遊技機においては、遊技領域内へ打ち込まれた遊技球が入賞口等へ入賞することにより、所定の遊技価値が付与される。遊技球の発射初速度は、可変抵抗器を用いた発射操作装置（遊技球発射ハンドル）により制御される。発射操作装置は、遊技者が手で回転操作する回転ハンドル（ハンドルリング）を有し、回転ハンドルの回転角度に応じて可変抵抗器の抵抗値が変化し、遊技球の発射初速度を調節するように構成されている。遊技者は、回転ハンドルの回転角度を調節して、遊技球を好みの発射初速度で遊技領域内へ打ち込む。
【０００３】
また、回転ハンドルには、遊技者が手を離すと自動的に操作前の初期位置に戻る付勢手段が取り付けられると共に、遊技者の手の接触を検知して遊技球を発射可能な状態にする検知手段（タッチスイッチ）が取り付けられている。遊技球の発射初速度を所定の速度に維持するためには、遊技者は、回転ハンドルの回転量が一定となるようにこれを保持する必要があるが、手や肩等に負担のかかるものであった。そこで、遊技者が手を緩めても、回転操作体を所望の回転操作位置で一時的に固定させることができる機構を備えた遊技機が提案されている。
【０００４】
例えば、特許文献１の特開２０１３−１３８７３９号公報「遊技機」には、支持体と、前記支持体に対して回転可能に支持されるハンドルリングと、前記ハンドルリングを所定の回転方向に付勢する付勢手段とを有し、遊技者が前記付勢手段による付勢力に抗して前記ハンドルリングを回転させることにより遊技領域に遊技媒体が発射される遊技機であって、前記支持体に対して、前記ハンドルリングの回転軸と同軸に回動可能に支持され、遊技者が操作可能なように第１の端部が前記支持体から突出する第１部材と、前記ハンドルリングが付勢される回転方向と同一の回転方向に回転して第２の端部が前記ハンドルリングの内周面に当接可能なように、前記支持体に対して、前記ハンドルリングの回転軸とは異なる軸に回動可能に支持される第２部材と、を備え、前記第１部材と前記第２部材の一方には、該一方の回動中心から離れる方向に長い長孔が形成されており、前記第１部材と前記第２部材の他方には、前記長孔に係合する突起が形成されており、遊技者による前記第１部材の回動操作に応じて前記第２部材の第２の端部が前記ハンドルリングの内周面に当接する、ことを特徴とする遊技機が提案されている。
【先行技術文献】
【特許文献】
【０００５】
【特許文献１】特開２０１３−１３８７３９号公報
【０００６】
特許文献１の「遊技機」によれば、遊技者が第１部材を回動操作して第２部材をハンドルリングの内周面に当接させることにより、ハンドルリングを回転操作した状態で保持することができる。
【発明の概要】
【発明が解決しようとする課題】
【０００７】
特許文献１の「遊技機」は、ハンドルリングの回転軸とは異なる位置に支点を設け、長孔が形成された第２部材の、略円弧状の先端部の一点をハンドルリングの内周面に当接させる構成であるため、各部材が小さく複雑な構造となりその調整が困難であるという問題があった。
【０００８】
本発明は、かかる問題点等を解決するために創案されたものである。すなわち、本発明の目的は、簡単な構成で、回転ハンドルを所望の回転操作位置で一時的に固定させることができる固定機構を有する遊技機を提供することにある。
【課題を解決するための手段】
【０００９】
本発明の遊技機は、遊技領域に向けて遊技球を発射すべく操作される発射操作装置が備えられた遊技機であって、前記発射操作装置は遊技機本体に取り付けられるハンドル基部と、前記ハンドル基部に組み付けられ、回転操作の角度に基づいて遊技球の発射初速度を調整する回転ハンドルと、前記ハンドル基部及び前記回転ハンドルに組み付けられ、該回転ハンドルの戻りを一時的に抑止する固定機構と、を備え、前記固定機構は、前記回転ハンドルと別々に回転する略円板状の押圧部材と、前記押圧部材の周壁面の少なくとも一部が接する可撓片を有し、該押圧部材を囲むようにその基端が前記ハンドル基部に固定される可撓部材と、前記可撓片を囲むような略円筒形状の壁部を有し、その基端が前記回転ハンドルに固定される保持部材と、を具備し、前記押圧部材の周壁面の前記可撓片と接する部分と、前記可撓片の内壁面の前記押圧部と接する部分の少なくともどちらか一方は、前記回転ハンドルの回転操作方向に向かってその回転軸線からの距離が徐々に短くなるように形成され、前記固定機構は、前記回転ハンドルの回転操作方向と同方向に回転操作された前記押圧部材が前記可撓部材に接する際に、該可撓部材を押圧して外方に撓ませ、該可撓部材を前記保持部材の壁部に圧接させることにより、前記回転ハンドルの動きを一時的に抑止するように構成した、ことを特徴とする。
【発明の効果】
【００１０】
回転押圧部材を回転操作することにより可撓性のある可撓部材を押圧して、回転ハンドルに固定された保持部材に圧接させることにより、簡単な構成で回転ハンドルを一時的に固定することができる。固定機構により、徐々に締め付けて回転ハンドルの動きを抑止するので、微調整して所望の角度に回転操作した回転ハンドルの位置をずらしてしまうことなく固定することが可能である。固定位置からさらに少し回すだけで解除位置に移動させることができるので、一瞬で固定状態を解除することができる。
【図面の簡単な説明】
【００１１】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】パチンコ機の電気的構成を示すブロック図である。
【図１２】遊技球発射ハンドルを示し、（ａ）は斜視図、（ｂ）は縦断面図である。
【図１３】遊技球発射ハンドルの大まかな構成を示す分解斜視図であり、（ａ）は前側斜め上方から視認した図、（ｂ）は後側斜め上方から視認した図である。
【図１４】回転操作体の分解斜視図であり、（ａ）は斜め前方から視認した状態、（ｂ）は斜め後方から視認した状態を示す。
【図１５】回転操作体をハンドル基部に組み付けた状態を示す正面図である。
【図１６】ハンドル基部を示し、（ａ）は正面図、（ｂ）は背面図である。
【図１７】連結支持部材に組み付けられた固定機構を示し、（ａ）は斜め前方から視認した状態を示す斜視図、（ｂ）は右側面図、（ｃ）は斜め後方から視認した状態を示す斜視図である。
【図１８】連結支持部材の拡大背面図である。
【図１９】固定機構を示し、（ａ）は前側斜め上方から視認した状態を示す分解斜視図、（ｂ）は後側斜め上方から視認した状態を示す分解斜視図である。
【図２０】回転押圧部材の拡大正面図である。
【図２１】可撓部材を示し、（ａ）は正面図、（ｂ）は背面図、（ｃ）は（ａ）のＰ−Ｐ線における拡大断面図である。
【図２２】可撓部の横断面図であり、（ａ）は支持部（図２１（ｃ）におけるＳ−Ｓ線における断面図）、（ｂ）は挿入部（図２１（ｃ）におけるＱ−Ｑ線における断面図）を示す。
【図２３】保持部材の正面図である。
【図２４】固定機構による回転操作体の固定方法を説明する部分断面図であり、（ａ）は回転押圧部材が解除位置にあり、保持部材が初期位置にある状態及び所望の回転操作位置まで回転操作された後の状態、（ｂ）は回転押圧部材が解除位置から固定位置に回転操作されている途中の状態、（ｃ）は回転押圧部材が固定位置まで回転操作された状態を示す。
【図２５】変形例である固定機構による回転操作体の固定方法を説明する部分断面図であり、（ａ）は変形例１、（ｂ）は変形例２を示す。
【実施例１】
【００１２】
以下、本発明の好ましい実施の形態を図面を参照して説明する。
図１はパチンコ機１０の斜視図である。図２及び図３はパチンコ機１０の主要な構成を展開して示す斜視図である。図４はパチンコ機１０の背面図である。なお、図２では便宜上パチンコ機１０の遊技領域内の構成を省略している。以下、パチンコ機１０の説明において、前面扉が配設されている側を前面側又は前方、その反対側を背面側又は後方とし、上下左右の方向については、基本的に島設備に配設したパチンコ機１０を前面扉に対向して視認した状態を基準として表現する。
【００１３】
パチンコ機１０は、当該パチンコ機１０の外殻を形成する外枠１１と、この外枠１１に対して前方に回動可能に取り付けられた遊技機主部２１とを有する。
【００１４】
外枠１１は、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。上記のように左右の板材１２，１３を金属製とするとともに上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。また、パチンコ機１０が外枠１１を備える構成としたが、パチンコ機１０は外枠１１を備えずに遊技機主部２１のみを備える構成としてもよい。
【００１５】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。
【００１６】
遊技機主部２１は、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１７】
遊技機ベースユニット２２は、図２及び図３に示すように、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５が設けられており、シリンダ錠３５の操作によって連動杆３２を上方向又は下方向のうち予め定められた方向に移動させると、外枠１１に対する遊技機ベースユニット２２の施錠状態が解除される。
【００１８】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００１９】
次に、遊技機ベースユニット２２、遊技機前面ユニット２３及び裏パックユニット２４のそれぞれについて詳細に説明する。
【００２０】
＜遊技機ベースユニット２２＞
先ず、遊技機ベースユニット２２の構成について詳細に説明する。図５は遊技機ベースユニット２２の正面図である。図６は遊技機ベースユニット２２に搭載された遊技盤６１の正面図である。図７は遊技機ベースユニット２２の背面図である。なお、図５では便宜上パチンコ機１０の遊技領域内の構成を省略している。
【００２１】
遊技機ベースユニット２２は、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００２２】
遊技盤６１は合板よりなり、遊技盤６１の前面に形成された遊技領域が樹脂ベース４１の窓孔５１を通じて遊技機ベースユニット２２の前面側に露出した状態となっている。
【００２３】
ここで、遊技盤６１の構成を図６に基づいて説明する。遊技盤６１には、ルータ加工が施されることによって前後方向に貫通する大小複数の開口部が形成されている。各開口部には一般入賞口６２，可変入賞装置６３，上作動口６４，下作動口６５，スルーゲート６６及び可変表示ユニット６７等がそれぞれ設けられている。このうち、可変入賞装置６３、上作動口６４、下作動口６５及び可変表示ユニット６７は、遊技盤６１の左右方向の中央において上下方向に並べて設けられており、上から可変表示ユニット６７、上作動口６４、下作動口６５及び可変入賞装置６３の順となっている。また、一般入賞口６２は、遊技盤６１の下部において、左側に２個及び右側に２個の合計４個設けられている。ちなみに、遊技盤６１の左側は遊技機前面ユニット２３の回動基端側に相当し、遊技盤６１の右側は遊技機前面ユニット２３の回動先端側に相当する。
【００２４】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００２５】
その他に、遊技盤６１の最下部にはアウト口６８が設けられており、各種入賞口等に入らなかった遊技球はアウト口６８を通って遊技領域から排出される。また、遊技盤６１には、遊技球の落下方向を適宜分散、調整等するために多数の釘６９が植設されていると共に、風車等の各種部材（役物）が配設されている。
【００２６】
可変表示ユニット６７には、いずれかの作動口６４，６５への入賞をトリガとして図柄を可変表示する図柄表示装置７１が設けられている。また、可変表示ユニット６７には、図柄表示装置７１を囲むようにしてセンターフレーム７２が配設されている。センターフレーム７２の上部には、第１特定ランプ部７３及び第２特定ランプ部７４が設けられている。また、センターフレーム７２の上部及び下部にはそれぞれ保留ランプ部７５，７６が設けられている。下側の保留ランプ部７５は、図柄表示装置７１及び第１特定ランプ部７３に対応しており、遊技球が作動口６４，６５を通過した回数は最大４回まで保留され保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され保留ランプ部７６の点灯によってその保留個数が表示されるようになっている。
【００２７】
図柄表示装置７１は、液晶ディスプレイを備えた液晶表示装置として構成されており、後述する表示制御装置により表示内容が制御される。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００２８】
第１特定ランプ部７３では、作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００２９】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００３０】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００３１】
遊技盤６１には、内レール部７７と外レール部７８とが取り付けられており、これら内レール部７７と外レール部７８とにより誘導レールが構成され、遊技球発射機構８０から発射された遊技球が遊技領域の上部に案内されるようになっている。ちなみに、図５に示すように、樹脂ベース４１の窓孔５１の右上部には返しゴム７９が設けられており、所定以上の勢いで発射された遊技球は返しゴム７９に当たり、遊技領域の中央寄りに跳ね返されるようになっている。この場合、返しゴム７９はその遊技球が当たる面が遊技領域の中央側に向けて傾斜させて形成されているため、遊技領域の中央に向けた遊技球の跳ね返しが良好に行われるようになっている。
【００３２】
遊技球発射機構８０は、図５に示すように、樹脂ベース４１における窓孔５１の下方に取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。ソレノイド８１への電気的な信号の入力は、遊技機前面ユニット２３の下部に設けられた遊技球発射ハンドル８４（図１等参照）が操作されることに基づいて発生する。なお、本発明の特徴である固定機構を備えた遊技球発射ハンドル８４の詳細については後述する。
【００３３】
樹脂ベース４１の前面における回動基端側にはその上端部及び下端部に支持金具４２，４３が取り付けられており、これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００３４】
＜遊技機前面ユニット２３＞
ここで、遊技機前面ユニット２３の構成について説明する。図８は遊技機前面ユニット２３の背面図である。
【００３５】
遊技機前面ユニット２３は遊技機ベースユニット２２の前面側全体を覆うようにして設けられている。遊技機前面ユニット２３には、図１に示すように、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００３６】
遊技機前面ユニット２３における窓パネル部９１の下方には、手前側へ膨出した上側膨出部９５と下側膨出部９６とが上下に並設されている。上側膨出部９５内側には上方に開口した上皿９５ａが設けられており、下側膨出部９６内側には同じく上方に開口した下皿９６ａが設けられている。上皿９５ａは、後述する払出装置より払い出された遊技球を一旦貯留し、一列に整列させながら後述する遊技球発射機構側へ導くための機能を有する。また、下皿９６ａは、上皿９５ａ内にて余剰となった遊技球を貯留する機能を有する。なお、下側膨出部９６の右方には、上述した遊技球発射ハンドル８４が設けられている。
【００３７】
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００３８】
また、遊技機前面ユニット２３の背面には、図８に示すように、前面側通路ユニット２７１が取り付けられている。前面側通路ユニット２７１は、合成樹脂により成形されており、上皿９５ａに通じる前扉側上皿通路と、下皿９６ａに通じる前扉側下皿通路とが形成されている。前面側通路ユニット２７１の詳細については後に説明する。
【００３９】
＜遊技機ベースユニット２２の背面構成＞
次に、遊技機ベースユニット２２の背面構成について図７を用いて詳細に説明する。
【００４０】
樹脂ベース４１の背面における回動先端側には既に説明した施錠装置３１が設けられている。また、樹脂ベース４１の中央には上記のとおり遊技盤６１が取り付けられている。
【００４１】
遊技盤６１の中央に配置された可変表示ユニット６７には、図３及び図７に示すように、センターフレーム７２を後方から覆う合成樹脂製のフレームカバー１００が後方に突出させて設けられており、フレームカバー１００に対して後側から上述した図柄表示装置７１が取り付けられているとともに、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００４２】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００４３】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる基板ボックス１０８に収容されて構成されている。なお、当該基板ボックス１０８には、当該基板ボックスの開放痕跡手段としてカシメ構造や図示しない封印シールが設けられているとともに、取付台１０６に対する主制御装置１０７の離脱痕跡手段としてカシメ構造が設けられている。
【００４４】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００４５】
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。これら軸受け金具１１１〜１１３に対して軸支させて遊技機ベースユニット２２には裏パックユニット２４が取り付けられている。裏パックユニット２４により、図５に示すように、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００４６】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた締結具１１７（図９参照）を締結させることによっても裏パックユニット２４が遊技機ベースユニット２２に固定される。
【００４７】
＜裏パックユニット２４＞
次に、裏パックユニット２４の構成について詳細に説明する。図９は裏パックユニット２４の正面図、図１０は裏パックユニット２４の分解斜視図である。
【００４８】
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００４９】
第１裏パックユニット１２１と第２裏パックユニット１４１には、図９に示すように、それぞれ軸金具１２３，１３９が設けられており、それら軸金具１２３，１３９はそれぞれ個別に軸受け金具１１１〜１１３に支持されている。これにより、第１裏パックユニット１２１と第２裏パックユニット１４１とは、遊技機ベースユニット２２に対してそれぞれ個別に回動可能となっている。
【００５０】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５１】
次に、第１裏パックユニット１２１の構成について詳細に説明する。
【００５２】
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５３】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００５４】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５５】
つまり、タンク１３２と、上皿９５ａ及び下皿９６ａの球受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５６】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５７】
次に、第２裏パックユニット１４１の構成について詳細に説明する。
【００５８】
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００５９】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００６０】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００６１】
払出制御装置１４６は、基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００６２】
電源及び発射制御装置１４７は、基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【００６３】
次に、パチンコ機１０の電気的構成について、図１１のブロック図に基づいて説明する。図１１では、電力の供給ラインを二重線矢印で示し、信号ラインを実線矢印で示す。
【００６４】
主制御装置１０７に設けられた主制御基板３１１には、主制御回路３１２と停電監視回路３１３とが内蔵されている。主制御回路３１２には、ＣＰＵ３２１が搭載されている。ＣＰＵ３２１には、当該ＣＰＵ３２１により実行される各種の制御プログラムや固定値データを記憶したＲＯＭ（不揮発性記憶手段）３２２と、そのＲＯＭ３２２内に記憶される制御プログラムの実行に際して各種のデータ等を一時的に記憶するためのメモリであるＲＡＭ（揮発性記憶手段）３２３と、割込回路やタイマ回路、データ入出力回路などの各種回路が内蔵されている。
【００６５】
ＲＡＭ３２３は、パチンコ機１０の電源の遮断後においても電源及び発射制御装置１４７に設けられた電源及び発射制御基板３３１からバックアップ電力（データ記憶保持用電力）が供給されてデータが保持される構成となっている。
【００６６】
ＣＰＵ３２１には、アドレスバス及びデータバスで構成されるバスラインを介して入出力ポートが接続されている。主制御回路３１２の入力側には、主制御基板３１１に設けられた停電監視回路３１３、払出制御装置１４６に設けられた払出制御基板３３２及びその他図示しないスイッチ群などが接続されている。この場合に、停電監視回路３１３には電源及び発射制御基板３３１が接続されており、主制御回路３１２には停電監視回路３１３を介して電力が供給される。
【００６７】
ちなみに、主制御回路３１２の入力側に接続されるスイッチ群としては、入賞検知センサ３２５〜３２８がある。入賞検知センサ３２５〜３２８としては、一般入賞口６２に入球した遊技球を検知する一般入賞口センサ３２５と、可変入賞装置６３に入球した遊技球を検知するカウントセンサ３２６と、上作動口６４に入球した遊技球を検知する上作動口センサ３２７と、下作動口６５に入球した遊技球を検知する下作動口センサ３２８とがある。なお、一般入賞口センサ３２５は、一般入賞口６２に対して１対１で対応させて設けられている。これら入賞検知センサ３２５〜３２８からの検知結果に基づいて、主制御回路３１２のＣＰＵ３２１において、各種入賞口６２〜６５への遊技球の入球の有無が特定される。
【００６８】
一方、主制御回路３１２の出力側には、停電監視回路３１３、払出制御基板３３２及び中継端子板３３３が接続されている。払出制御基板３３２には、賞球コマンドなどといった各種コマンドが出力される。中継端子板３３３を介して主制御回路３１２から音声ランプ制御装置１０３に設けられた音声ランプ制御基板３３４に対して各種コマンドなどが出力される。
【００６９】
停電監視回路３１３は、主制御回路３１２と電源及び発射制御基板３３１とを中継し、また電源及び発射制御基板３３１から出力される最大電源である直流安定２４ボルトの電源を監視する。
【００７０】
払出制御基板３３２は、払出装置１３５により賞球や貸し球の払出制御を行うものである。演算装置であるＣＰＵ３４１は、そのＣＰＵ３４１により実行される制御プログラムや固定値データ等を記憶したＲＯＭ（不揮発性記憶手段）３４２と、ワークメモリ等として使用されるＲＡＭ（揮発性記憶手段）３４３とを備えている。
【００７１】
払出制御基板３３２のＲＡＭ３４３は、主制御回路３１２のＲＡＭ３２３と同様に、パチンコ機１０の電源の遮断後においても電源及び発射制御基板３３１からバックアップ電力（データ記憶保持用電力）が供給されてデータが保持される構成となっている。
【００７２】
払出制御基板３３２のＣＰＵ３４１には、アドレスバス及びデータバスで構成されるバスラインを介して入出力ポートが接続されている。払出制御基板３３２の入力側には、主制御回路３１２、電源及び発射制御基板３３１、及び裏パック基板１３６が接続されている。ちなみに、裏パック基板１３６を通じて、球無検知センサ１８６の検知結果及び球抜きボタン２０６の操作の有無が払出制御基板３３２に入力される。また、払出制御基板３
３２の出力側には、主制御回路３１２及び裏パック基板１３６が接続されている。
【００７３】
電源及び発射制御基板３３１は、電源部と発射制御部とを備えている。電源部は、二重線矢印で示す経路を通じて、主制御回路３１２や払出制御基板３３２等に対して各々に必要な動作電力を供給する。発射制御部は、遊技者による遊技球発射ハンドル８４の操作にしたがって遊技球発射機構８０の発射制御を担うものであり、遊技球発射機構８０は所定の発射条件が整っている場合に駆動される。
【００７４】
また、電源及び発射制御基板３３１には、バックアップ電源部３３１ａが設けられている。バックアップ電源部３３１ａはコンデンサからなり、パチンコ機１０の電源がＯＮ状態の場合（外部電源からの電力供給が行われている場合）に充電される。また、パチンコ機１０の電源がＯＦＦ状態の場合や商用電源における停電発生時といった電源遮断状態（外部電源からの電力供給が遮断されている場合）では、バックアップ電源部３３１ａから放電され主制御回路３１２のＲＡＭ３２３及び払出制御基板３３２のＲＡＭ３４３に対してバックアップ電力が供給される。よって、かかる状況であっても、バックアップ電源部３３１ａからバックアップ電力が供給されている間は、各ＲＡＭ３２３，３４３に記憶された情報が消去されることなく記憶保持される。
【００７５】
ちなみに、バックアップ電源部３３１ａの容量は比較的大きく確保されており、電源遮断前に各ＲＡＭ３２３，３４３に記憶されていた情報は所定の期間内（例えば、１日や２日）保持される。また、バックアップ電源部３３１ａは、コンデンサに限定されることはなく、バッテリや非充電式電池などであってもよい。非充電式電池の場合、パチンコ機１０の電源がＯＮ状態の際に電断時用電源手段への蓄電を行う必要はないが、定期的に交換する必要が生じる。
【００７６】
音声ランプ制御基板３３４は、電飾部９２、スピーカ部９４、エラー表示部９３及び表示制御装置１０１を制御するものである。演算装置であるＣＰＵ３５１は、そのＣＰＵ３５１により実行される制御プログラムや固定値データ等を記憶したＲＯＭ３５２と、ワークメモリ等として使用されるＲＡＭ３５３とを備えている。
【００７７】
音声ランプ制御基板３３４のＣＰＵ３５１にはアドレスバス及びデータバスで構成されるバスラインを介して入出力ポートが接続されている。音声ランプ制御基板３３４の入力側には中継端子板３３３に中継されて主制御回路３１２が接続されており、主制御回路３１２から出力される各種コマンドに基づいて、電飾部９２、スピーカ部９４、エラー表示部９３及び表示制御装置１０１を制御する。表示制御装置１０１は、音声ランプ制御基板３３４から入力する表示コマンドに基づいて図柄表示装置７１を制御する。
【００７８】
次に本発明の特徴である固定機構８４５０を備えた遊技球発射ハンドル８４について、図面を参照しながら説明する。
【００７９】
＜遊技球発射ハンドルの概略構造＞
図１２は遊技球発射ハンドル８４を示し、（ａ）は斜視図、（ｂ）は縦断面図である。図１３は遊技球発射ハンドル８４の大まかな構成を示す分解斜視図であり、（ａ）は前側斜め上方から視認した図、（ｂ）は後側斜め上方から視認した図である。なお、図１２（ｂ）は、便宜上、内部に配設される装置を省略した概略図としている。また、遊技球発射ハンドル８４において、回転カバー８４３０側が前側（前方）であり、ハンドル基部８４２０側が後側（後方）である。
遊技球発射ハンドル８４は、パチンコ機１０において、遊技球の発射させる際にその初速度を調節する装置であり、遊技球前面ユニット２３の前面側右下部分にその後方からねじ止め固定されている（図１等参照）。遊技球発射ハンドル８４は、回転操作体８４１０と、ハンドル基部８４２０と、回転カバー８４３０と、連結支持部材８４４０と、本発明の特徴である固定機構８４５０とを備えている。
【００８０】
図１２、図１３に示すように、ハンドル基部８４２０は略円筒形状であり、その内部に種々の装置が納められている。回転操作体８４１０は、ハンドル基部８４２０の前面側を覆うように、ハンドル基部８４２０の前側周縁部８４２１ａに回動可能に緩嵌される。
略円板状の連結支持部材８４４０には、中空の略半球形状の回転カバー８４３０と略円盤状の固定機構８４５０とが、前方から組み付けられる。回転操作体８４１０の前方には、回転カバー８４３０及び固定機構８４５０が連結支持部材８４４０を介して回転操作体８４１０を回動可能な状態としつつハンドル基部８４２０に取り付けられる。その際、回転カバー８４３０は、回転操作体８４１０の前側起立部８４１１ａに回動可能に緩嵌される。
【００８１】
＜回転操作体の構造＞
図１４は、回転操作体８４１０の分解斜視図であり、（ａ）は斜め前方から視認した状態、（ｂ）は斜め後方から視認した状態を示す。図１５は、回転操作体８４１０をハンドル基部８４２０に組み付けた状態を示す正面図である。
回転操作体８４１０は、図１２〜図１５に示すように、略円板状のハンドルリング８４１１と、ハンドルリングに後方から固設される主動ギア８４１５と、ハンドルリング８４１１の前方に配設される付勢バネ８４１９とからなる。
【００８２】
主動ギア８４１５は、略円板状の円板部８４１６と、その中央を貫通するように形成された略円筒状の回転主軸８４１７と、円板部の後面側に回転主軸８４１７を中心としてその周囲に略扇形状に形成されるギア部８４１８とを有する。回転主軸８４１７は、円板部８４１６の前方に突出する前軸部８４１７ａ及び後方に突出する後軸部８４１７ｂを有し、これらは同一軸線上に形成されている。回転主軸８４１７の後軸部８４１７ｂは、後述するハンドル基部８４２０の軸受け部８４２３（図１６参照）に回動可能に組み付けられる。なお、回動とは、軸を中心として正転方向（時計回り）及び逆転方向（反時計回り）の両方向に円運動することであり、回動の動作の途中に円運動を停止することがあってもよく、円運動する際の回転角度は限定されない。
【００８３】
回転主軸８４１７の後軸部８４１７ｂの後端には位置決め突起８４１７ｃ（図１４（ｂ）等参照）が外方に突出するように形成されており、組み付ける際には、まずこの位置決め突起８４１７ｃを軸受け部８４２３の長手方向に形成された溝８４２３ａ（図１６参照）に挿通させる。そして、位置決め突起８４１７ｃは、軸受け部８４２３の後端から飛び出させることにより、その後端周縁に回動可能に係止される。このようにして、主動ギア８４１５はハンドル基部８４２０に対し回動可能な状態に組み付けられる。回転主軸８４１７の前軸部８４１７ａ（図１４（ａ）等参照）は、横断面がＵ字状の柱状形状であり、後述する固定機構８４５０の保持部材８４７０の突起部８４７３（図１７（ｃ）等参照）が挿入され、ねじ止め固定されている。
【００８４】
略円板状のハンドルリング８４１１には、図１４、図１５に示すように、中央には円形の孔である貫通孔８４１２ｃが、外縁部には貫通孔８４１２ｃを中心とする円弧形状の孔である円弧孔部８４１２ａ、８４１２ｂが形成されている。これらの孔によりハンドルリング８４１１の中央部分は略ドーナツ形状の環状部８４１２ｄとなっている。上述した主動ギア８４１５の円板部８４１６は、図１４等に示すように、この環状部８４１２ｄと略同じ大きさであり、ハンドルリング８４１１の後方から、環状部８４１２ｄに重なるようにねじ止め固定される。その際、主動ギア８４１５の回転主軸８４１７の前軸部８４１７ａは、ハンドルリング８４１１の貫通孔８４１２ｃにその前方から突出するように挿通される。
【００８５】
ハンドルリング８４１１の円弧孔部８４１２ａ、８４１２ｂは、図１５に示すように、後述するハンドル基部８４２０の３つのねじボス８４２２ａ，８４２２ｂを貫通させるための孔である。円弧孔部８４１２ａ、８４１２ｂを円弧形状とすることにより、ねじボス８４２２ａ，８４２２ｂが貫通していても、ハンドルリング８４１１（回転操作体８４１０）はハンドル基部８４２０に対して回動移動が可能な状態となっている。また、ハンドルリング８４１１の回動範囲は、上述した円弧孔部８４１２ａ、８４１２ｂの縁部がねじボス８４２２ａ，８４２２ｂに当接することにより、所定の範囲内に制限されている。
【００８６】
ハンドルリング８４１１には、３つの指掛け部８４１１ｂ、８４１１ｃ、８４１１ｄが外方に突出するように設けられ、例えば、図示例の左側の指掛け部８４１１ｂには親指を掛け、上側の指掛け部８４１１ｃには人差し指または中指を掛け、右側の指掛け部８４１１ｄには中指または薬指を掛けて操作するように構成されている。遊技者は、主動ギア８４１５（回転主軸８４１７）によってハンドル基部８４２０に軸支されたハンドルリング８４１１を、前面視正転方向（時計回り）に手で回転操作するとともに、必要に応じて回転角度を調節し、希望する初速度で遊技球を発射させる。なお、ハンドルリング８４１１の内縁部には軸線前方方向に起立する前側起立部８４１１ａが形成されている。
【００８７】
付勢ばね８４１９は、回転主軸８４１７の前軸部８４１７ａに遊嵌されるコイルばねであり、図１５に示すように、その一端部がハンドル基部８４２０のねじボス８４２２ａに掛けられ、他端部がハンドルリング８４１１内（環状部８４１２ｄ）に固定される。この付勢ばね８４１９により、ハンドルリング８４１１は常に前面視逆転方向（反時計回り）に回転する方向に付勢されている。
【００８８】
回転操作体８４１０は、このように、主動ギア８４１５の回転主軸８４１７により、ハンドル基部８４２０に回動可能に軸支され、常に前面視逆転方向（反時計回り）に回転する方向に付勢されるとともに、その回動範囲は所定の範囲内に制限される。
【００８９】
＜ハンドル基部の構造＞
図１６は、ハンドル基部８４２０を示し、（ａ）は正面図、（ｂ）は背面図である。
ハンドル基部８４２０は、図１２（ｂ）等に示すように、縦断面が略コの字状の底板部８４２１と、略円筒状の支持部８４２９とから形成されている。底板部８４２１の略円形の底板８４２４には、図１６に示すように、可変抵抗器８４２５、発射停止スイッチ８４２７、タッチセンサ８４２８（図１６（ｂ）参照）等が固定されている。また、底板８４２４には、前方に突出するように、中心位置に略円筒状の軸受け部８４２３が、その周囲に３つの略円筒状のねじボス８４２２ａ，８４２２ｂがそれぞれ立設されている。
【００９０】
ハンドル基部８４２０の内側に固設された可変抵抗器８４２５の回転軸には、回転操作体８４１０（主動ギア８４１５）のギア部８４１８（図１４（ｂ）参照）と予め定められた位置で噛み合うように配置された従動ギヤ８４２６が取り付けられている。従動ギヤ８４２６には付勢ばね８４２６ａが取り付けられており、この付勢ばね８４２６ａの一端側は、底板８４２４に突設されたばね支持部８４２４ａに掛け止められている。また、従動ギヤ８４２６には、その歯部より周囲へ大きく突出したストッパ８４２６ｂが形成されており、このストッパ８４２６ｂが底板８４２４に突設された当接部８４２４ｂに当接し所定の位置で止まることにより、その戻される範囲が規制されている。
【００９１】
可変抵抗器８４２５は、主動ギア８４１５（回転操作体８４１０）により回転される従動ギヤ８４２６の回転軸の回転角度に応じて、内部に設置された抵抗器の抵抗値を変化させる。可変抵抗器８４２５の抵抗値が変化することにより、遊技球が発射される際の遊技球の初速度（遊技球の発射初速度）が調整される。このように、遊技球は、遊技者が操作したハンドルリング８４１１（回転操作体８４１０）の回転操作量（回転角度）に応じた初速度で発射される。
【００９２】
発射停止スイッチ８４２７は、遊技者が操作する操作部を有するストップレバー８４２７ａと、ストップレバー８４２７ａの操作により遊技球の発射を停止する発射停止装置８４２７ｂとを備えている。ストップレバー８４２７ａは、その一部である操作部が、ハンドル基部８４２０の前縁部の一部に形成された切り欠きから突出するように設けられている。発射停止装置８４２７ｂには回動可能に取り付けられた略板状の端子８４２７ｃが取り付けられており、その先端側はストップレバー８４２７ａに設けられた孔に挿通され、矢示線方向に回動可能となっている。遊技者がストップレバー８４２７ａの操作部を押動することにより端子８４２７ｃが回転操作されて発射停止装置８４２７ｂがＯＮ状態となる。そして、遊技者が押動動作を止めると端子８４２７ｃが元の位置に戻り、発射停止装置８４２７ｂがＯＦＦ状態となる。遊技者は、このストップレバー８４２７ａを押圧操作することにより、回転操作体８４１０の回転操作させた状態で遊技球の発射を一時的に停止させ、押圧操作をやめることにより、停止前の初速度で再び遊技球を発射させることができる。
【００９３】
タッチセンサ８４２８（図１６（ｂ）参照）は、ハンドルリング８４１１とともにタッチスイッチを構成する。ハンドルリング８４１１は、導電性を有する樹脂めっき又は金属製の素材で製造されたものであり、タッチセンサ８４２８は、遊技者の手がハンドルリング８４１１に接触していることを微弱電流により検知する。タッチセンサ８４２８により遊技者の手の接触が検知されているときのみ、遊技球発射機構８０における遊技球の発射が可能となり、接触が検知されていないときには、回転操作体８４１０が回転操作されていても遊技球の発射を停止するように構成されている。
【００９４】
＜連結支持部材、固定機構及び回転カバーの概要＞
図１７は連結支持部材８４４０に組み付けられた固定機構８４５０を示し、（ａ）は斜め前方から視認した状態を示す斜視図、（ｂ）は右側面図、（ｃ）は斜め後方から視認した状態を示す斜視図である。
図１２（ｂ）に示すように、回転操作体８４１０の前方には、連結支持部材８４４０を介して、固定機構８４５０及び回転カバー８４３０が取り付けられる。詳細は後述するが、固定機構８４５０は、回転押圧部材（押圧部材）８４６０と保持部材８４７０と可撓部材８４８０とからなる（図１９参照）。固定機構８４５０の可撓部材８４８０は、連結支持部材８４４０と共にハンドル基部８４２０に固設される。これらの２つの部材の間には、保持部材８４７０及び回転押圧部材８４６０が、それぞれ個別に回動することが可能となるように組み込まれる。具体的には、保持部材８４７０は回転操作体８４１０に嵌め込まれ、遊技者が回転操作体８４１０（ハンドルリング８４１１）を回転操作するとこれと共に回転する。また、回転押圧部材８４６０は回転カバー８４３０に固設され、遊技者が回転カバー８４３０を回転操作するとこれと共に回転する。
【００９５】
このように、遊技球発射ハンドル８４において、回転操作体８４１０と回転カバー８４３０とは別々に回転させることができ、遊技者は、回転カバー８４３０を回転操作することにより固定機構８４５０を機能させる。遊技者は、固定機構８４５０を機能させることにより、手を離しても、付勢ばね８４１９の付勢力に抗して、所望の回転操作位置に回転操作体８４１０を一時的に固定維持させることができる。以下、連結支持部材８４４０、回転カバー８４３０、固定機構８４５０について、図面を参照して詳細に説明する。
【００９６】
＜連結支持部材の構造＞
図１８は連結支持部材８４４０の拡大背面図である。連結支持部材８４４０は、回転カバー８４３０及び固定機構８４５０をハンドル基部８４２０に連結する部材であり、図１３に示すように、回転操作体８４１０の前方を覆うように、回転操作体８４１０を回動可能な状態として配設される。また、ハンドル基部８４２０内の装置等を保護する役割も担う部材である。
【００９７】
図１３、図１７及び図１８に示すように、連結支持部材８４４０は略円板状の部材であり、図１２（ｂ）に示すように、その外径は回転操作体８４１０のハンドルリング８４１１の前側起立部８４１１aの内径よりも小さく、前側起立部８４１１a内に挿入されてハンドル基部８４２０に取り付けられる。具体的には、連結支持部材８４４０には、後方に突出するボス部８４４１ａ，８４４１ｂが３つ形成され、ハンドルリング８４１１の円弧孔部８４１２ａ、８４１２ｂを貫通した、ハンドル基部８４２０のねじボス８４２２ａ，８４２２ｂに前方から挿入される。そして、ハンドル基部８４２０の後方から取り付けられるねじ８４２４ｘ（図１６（ｂ）参照）によりそれぞれハンドル基部８４２０に固着される。
【００９８】
連結支持部材８４４０の中央部には、円形の軸孔８４４３が形成されており、後述する保持部材８４７０の突起部８４７３が回動可能な状態で挿入される。また、可撓部材８４８０を取り付けるための取付孔８４４５がその周囲に３つ形成されており、後述する可撓部材８４８０のボス部８４８９が可連結支持部材８４４０の前面側に立設するように固着される。つまり、連結支持部８４４０及び固定機構８４５０の可撓部材８４８０はハンドル基部８４２０に固設されていて回転しない。
【００９９】
＜回転カバーの構造＞
回転カバー８４３０は、図１２及び図１３に示すように、遊技者が指で操作するための円筒状の操作筒部８４３１と、操作筒部８４３１の前端周縁から前方に膨らむように形成される縦断面が円弧状の膨出部８４３３とからなる縦断面が略コの字状の蓋状部材である。回転カバー８４３０は、その中心線が回転操作体８４１０の回転主軸８４１７の軸線と同一直線上にくるように、操作筒部８４３１の後端周縁が回転操作体８４１０のハンドルリング８４１１の前側起立部８４１１ａに回動可能に緩嵌される。また、膨出部８４３３の中央には、中心線を中心とした円周上に、後方に突出するように３つの連結ボス部８４３３ａが立設されている。これらのボス部８４３３の先端（後方端）には、固定機構８４５０の回転押圧部材８４６０が、ねじ孔８４６９（図１９参照）の後方からねじ止め固定される。そのため、遊技者が回転カバー８４３０を回転操作すると、この回転押圧部材８４６０も一緒に回転する。なお、膨出部８４３３には、遊技者に回転カバー８４３０の回転方向を示すための矢印等による表示部８４３３ｂが形成されている。
【０１００】
＜固定機構の構造＞
図１９は固定機構８４５０を示し、（ａ）は前側斜め上方から視認した状態を示す分解斜視図、（ｂ）は後側斜め上方から視認した状態を示す分解斜視図である。
図１７、図１９に示すように、固定機構８４５０は、略円板状の回転押圧部材８４６０と、この回転押圧部材８４６０が挿入される略円筒状の可撓部８４８１を有する可撓部材８４８０と、可撓部８４８１に緩く外嵌される有底円筒状の保持部８４７１を有する保持部材８４７０とからなる。回転押圧部材８４６０は、遊技者が回転操作体８４１０を固定する際に回転操作する回転カバー８４３０に固設されるので、回転カバー８４３０と一緒に回転移動する。可撓部材８４８０は、連結支持部８４４０を介してハンドル基部８４２０に固設されるため、回転移動することはない。保持部材８４７０は、遊技者が遊技球を発射させる際に回転操作する回転操作体８４１０に嵌着されるので、回転操作体８４１０（回転ハンドル８４１１）と一緒に回転移動する。
【０１０１】
遊技者は、回転操作体８４１０（回転ハンドル８４１１）を所望の回転操作位置に回転又は回動移動させた後に、回転カバー８４３０を回転操作して回転押圧部材８４６０を回転させる。回転により、回転押圧部材８４６０の周壁面８４６１が、可撓部材８４８０（可撓部８４８１の挿入部８４８２ａ）の内壁面ｘを押圧してこれを外方に撓ませる。そのため、可撓部材８４８０（可撓部８４８１）の外壁面ｙは、保持部材８４７０（保持部８４７１）の内壁面８４７２に圧接され、この圧接力により、保持部材８４７０は動きが抑制されて固定される。よって、これに嵌着されている回転操作体８４１０も固定することができる。なお、回転カバー８４３０並びに回転押圧部材８４６０の回転軸線、保持部材８４７０（保持部８４７１）の回転軸線、及び、可撓部材８４８０（可撓部８４８１）の中心線は、回転操作体８４１０の回転軸線と同一直線上にある。以下、各部材８４６０，８４７０，８４８０について、詳細に説明する。
【０１０２】
図２０は回転押圧部材８４６０の拡大正面図である。なお、図２０において、回転押圧部材８４６０の外周の形状Ｖの特徴をわかりやすくするために、線分ＯＡを半径とする円Ｗを仮想線にて示している。
図１９及び図２０に示すように、回転押圧部材８４６０は、略円板状の樹脂製部材である。回転押圧部材８４６０の周縁８４６３は、略円形状の曲線部（弧状部）８４６４と、曲線部８４６４の両端を結ぶ線分である直線部８４６５とからなる。直線部８４６５は、回転押圧部材８４６０の回転の中心となる回転中心点Ｏからの距離がｒ１である点Ａと、線分ＯＡの点Ａから回転中心点Ｏと反対方向に延長した直線上にあり回転中心点Ｏからの距離がｒ２である点Ｂとを結ぶ線分である。なお、以下、回転押圧部材８４６０において、適宜、直線部８４６５が形成されている段となっている部分を段部ｍという。
【０１０３】
曲線部８４６４は、点Ａと点Ｂとを結ぶ曲線であり、回転中心点Ｏを中心として、距離が一番短い点Ａ（ｒ１）から距離が一番長い点Ｂ（ｒ２）に向かって、徐々に回転中心点Ｏからの距離が長くなるように反時計回りに３６０度回転させて形成されている。なお、本実施例においては、点Ｂを直線ＯＡ上の点として、段部ｍを直線としたが、必ずしもこれに限らない。例えば、点Ｂは、点Ａからの反時計回りの回転角度が点Ｂよりも小さく又は大きくなる点Ａの近傍の位置として、段部ｍを線分ＡＢよりも長いものとしたり、曲線状とすることもできるが、破損しにくい形状であることが望ましい。なお、この回転押圧部材８４６０の外周縁の形状を、以下、適宜、形状Ｖという。
【０１０４】
回転押圧部材８４６０には、図２０に示すように、ねじ孔８４６９が３つ形成されている。ねじ孔８４６９の前面側には、回転カバー８４３０の連結ボス部８４３３ａの先端面（後側端面）が当接するようにねじ止め固定される（図１２（ｂ）参照）。この際、回転押圧部材８４６０は、回転中心点Ｏが回転カバー８４３０の回転軸線上にくるように取り付けられる。遊技者が回転カバー８４３０を回転操作すると、回転押圧部材８４６０は回転中心点Ｏを中心として回転する。
【０１０５】
図２１は可撓部材８４８０を示し、（ａ）は正面図、（ｂ）は背面図、（ｃ）は（ａ）のＰ−Ｐ線における拡大断面図である。なお、図２１（ｃ）においては、回転押圧部材８４６０を可撓部８４８１の挿入部８４８２ａ内に挿入した状態を仮想線にて示している。
可撓部材８４８０は、可撓性のある樹脂製部材からなり、図１９及び図２１に示すように、複数の分割片８４８２からなるコレット状の可撓部８４８１と、可撓部８４８１（各分割片８４８２）の基部（図２１（ｃ）における左端部）を支持するとともに、可撓部８４８１を連結支持部材８４４０に固定するためのリング板状のフランジ部８４８７を有する。可撓部８４８１は略円筒状であり、その中心線から放射状に、中心線方向に平行な複数の切り込みを入れることによって形成された、横断面が略円弧状の柱状形状である複数の分割片８４８２からなる。本実施例においては、等間隔に８か所切り込みが形成されているため、可撓部８４８１は８つの分割片からなる。なお、本実施例においては、切り込みを８ヶ所としたが、その数や幅はこれに限らず、適宜設けることができる。
【０１０６】
フランジ部８４８７は、可撓部８４８１の中心線に対して垂直に、可撓部８４８１の基部から外方に拡径するように延設されたリング板状であり、可撓部８４８１の先端側（図２１（ｃ）における右端側）が開閉可能となるように支持する。フランジ部８４８７には後方に突出するボス部８４８９が３つ形成されている。上述したように、これらのボス部８４８９には、連結支持部材８４４０の取付孔８４４５（図１８参照）に後方から挿通されたねじ（図示せず）が挿着される。このボス部８４８９により、可撓部材８４８０は連結支持部材８４４０の前面側との間に所定の空間を設けた状態で、連結支持部材８４４０に固定される（図１７参照）。なお、この空間には、回転押圧部材８４６０と保持部材８４７０とが組み込まれる。
【０１０７】
可撓部８４８１は、所定の外径である略円筒状の部材であり、図１９及び図２１に示すように、その先端側（図２１（ｃ）における右端側）から回転押圧部材８４６０が挿入される挿入部８４８２ａと、挿入部８４８２ａをフランジ部８４８７に支持させる支持部８４８２ｂとからなり、支持部８４８２ｂには、その先端側（図１９、図２１（ｃ）における右側）の内周縁に周方向に沿って内方に突出するように突条部８４８２ｃが形成されている。図２１（ｃ）に示すように、可撓部８４８１（分割片８４８２）の中心線方向において、支持部８４８２ｂは基端側（フランジ部８４８７側）略５分の２の部分、挿入部８４８２ａは先端側略５分の３の部分となるように形成されている。挿入部８４８２ａの中空部の横断面は、支持部８４８２ｂの中空部の横断面よりも大きく（詳細は後述）、また、突条部８４８２ｃを設けたことにより、挿入部８４８２ａと支持部８４８２ｂの間には段差αが形成されている。挿入部８４８２ａに挿入された回転押圧部材８４６０は、この段差αにより支持部８４８２ｂ側への進入が阻止されて位置決めされる。
【０１０８】
図２２は可撓部８４８１の横断面図であり、（ａ）は支持部８４８２ｂ（図２１（ｃ）におけるＳ−Ｓ線における断面図）、（ｂ）は挿入部８４８２ａ（図２１（ｃ）におけるＱ−Ｑ線における断面図）を示す。なお、ボス部８４８９は、便宜上省略している。
８つの各分割片８４８２の支持部８４８２ｂは、図２２（ａ）等に示すように同形状であり、横断面が円弧状の柱状形状である。支持部８４８２ｂの外周部分ｙｂ及び内周部分ｘｂは、それぞれ可撓部８４８１の中心線を中心とする円Ｒｘ、円Ｒｙの円周上にそれぞれ位置するように形成されている。
また、各分割片８４８２の支持部８４８２ｂの先端側内周に形成された突条部８４８２ｃは、図２２（ａ）に示すように同形状であり、全体として分断された輪状となっている。突条部８４８２ｃの外周部分ｙｃ及び内周部分ｘｃは、それぞれ可撓部８４８１の中心線を中心とする円Ｒｙ、円Ｒｚの円周上にそれぞれ位置するように形成されている。
【０１０９】
各分割片８４８２の挿入部８４８２ａは、図２２（ｂ）等に示すように横断面が略円弧状の柱状形状であり、一番厚さの厚いもの（分割片８４８２ｉ）から、反時計回りに内壁部分を削り取るように、徐々に厚さが薄くなるように配置されている。具体的には、横断面における外周部分ｙａは、可撓部８４８１の中心線を中心とする円Ｒｘの円周上に位置し、内周部分ｘａは、回転押圧部材８４６０の周縁形状Ｖと略同形の形状となるように形成されている。この内周部分ｘａに沿うように回転押圧部材８４６０を挿入した際には、上述した回転中心点Ｏは可撓部８４８１の中心線上（円Ｒｘの中心）に位置する。また、回転押圧部材８４６０の段部ｍは、一番厚さの厚い分割片８４８２ｉの側面（一番厚さの薄い分割片８４８２ｊに隣接する側）に緩く係合する。以下、適宜、この係合する側面部を、係合段部ｎという。
【０１１０】
図２３は保持部材８４７０の正面図である。なお、図２３においては、可撓部材８４８０の可撓部８４８１の外周（円Ｒｘ）が仮想線にて示してある。
図１９に示すように、保持部材８４７０は、略円筒状の樹脂製部材であり、円筒状の保持部８４７１と、この保持部８４７１と回転操作体８４１０とを連動させるための突起部８４７３とからなる。保持部８４７１は、有底円筒形状であり、図２３に示すように、その円筒部（壁部）の内壁面８４７２には横断面において鋸歯状である凹凸が、中心線と平行に切り込むように形成されている。図２３に示すように、円筒部の内周の最小内径は、可撓部材８４８０の可撓部８４８１の外径（円Ｒｘの径）と略同じ大きさであり、可撓部８４８１の外周壁（ｙａ，ｙｂ，）を囲うように遊嵌される。突起部８４７３は、保持部８４７１の底面中央から外方（後方）に突出するように形成された柱状部材であり、その側壁面は、図１９（ｂ）に示すように、横断面がＵ字状のＵ字部８４７３ａと横断面が円弧状の円弧部８４７３ｂとからなる。なお、円弧部８４７３ｂには横断面において鋸歯状である凹凸（図示せず）が、中心線と平行に切り込むように形成されている。
【０１１１】
突起部８４７３は、図１３に示すように、連結支持部材８４４０の軸孔８４４３に前方に突出するように緩挿される回転操作体８４１０（主動ギア８４１５）の回転主軸８４１７（前軸部８４１７ａ）に差し込まれる。この際、Ｕ字部８４７３ａは前軸部８４１７ａの内周面に係合し、円弧部８４７３ｂは連結支持部材８４４０の軸孔８４４３の内周面に摺接するように取り付けられる（図１５、図１７参照）。このように、保持部材８４７０は、可撓部材８４８０と連結支持部材８４４０との間に、両部材に対して回動可能に、挟み込むようにして取り付けられるため脱落せず、遊技者が回転操作体８４１０を回転操作すると、突起部８４７３により連結された保持部材８４７０も一緒に回転する。また、図１２（ｂ）に示すように、回転押圧部材８４６０は、可撓部材８４８０の可撓部８４８１の先端側（図の右側）の開口部に蓋をするように取り付けられる保持部材８４７０により、その回転軸方向（前後方向）の動きが制限され、可撓部材８４８０（可撓部８４８１）の挿入部８４８２ａの中空部分に収納された状態に保たれる。
【０１１２】
＜固定機構による回転操作体の固定方法＞
図２４は固定機構８４５０による回転操作体８４１０の固定方法を説明するための、回転押圧部材８４６０と可撓部材８４８０と保持部材８４７０の関係を示す部分断面図（図１７（ｂ）のＴ−Ｔ線における断面図）であり、（ａ）は回転押圧部材８４６０が解除位置にあり、保持部材８４７０（回転操作体８４１０）が初期位置にある状態及び所望の回転操作位置まで回転操作された後の状態、（ｂ）は回転押圧部材８４６０が解除位置から固定位置に回転操作されている途中の状態、（ｃ）は回転押圧部材８４６０が固定位置まで回転操作された状態を示す。上述したように、固定機構８４５０の回転押圧部材８４６０は回転カバー８４３０に、可撓部材８４８０はハンドル基部８４２０に、保持部材８４７０は回転操作体８４１０に、それぞれ固設されている。なお、図２４において、断面線は便宜上省略している。
【０１１３】
まず、遊技者は、回転操作体８４１０（回転ハンドル８４１１）が回転自在な状態であること、即ち、回転押圧体８４６０が解除位置にあることを確認する。回転自在でない場合には、回転押圧体８４６０が解除位置にくるように、上述した表示８４３３ｂに示された方向（本実施例においては正転方向）に回転カバー８４３０を回転操作する。ここで、解除位置とは、図２４（ａ）に示すように、段部ｍが係合段部ｎに略接する状態の位置をいい、挿入部８４８２ａの内周に沿うように、略同形状の回転押圧部材８４６０が配置されている位置をいう。このとき、固定機構８４５０は機能しておらず、回転操作体８４１０（回転ハンドル８４１１）には付勢ばね８４１９による付勢力しか掛かっていないので回転操作が可能となっている。なお、固定機構８４５０の機能については後述する。
【０１１４】
その後、遊技者は、図２４（ａ）に示すように、回転ハンドル８４１１（図示せず）を掴んで初期位置（図のＨ１の位置）にある回転操作体８４１０を、遊技球が好みの発射初速度で発射される所望の回転操作位置（図のＨ２の位置）まで回転操作させる。回転操作体８４１０が回転操作されることにより、固定機構８４５０では保持部材８４７０のみが、曲線矢示線に示したように一緒に回転する。
【０１１５】
回転操作体８４１０が所望の回転操作位置となったら、遊技者は回転操作体８４１０をその回転操作位置から動かないように保持したまま、回転カバー８４３０を正転方向（表示８４３３ｂ（図１３参照）の方向）に回転操作させて、固定機構８４５０を機能させる。具体的には、回転カバー８４３０を回転させることによって、図２４（ｂ）に示すように、回転押圧体８４６０が正転方向（曲線矢示線方向）に回転する。回転押圧体８４６０が回転すると、その周壁面８４６１が可撓部材８４８０（可撓部８４８１）の分割片８４８２（挿入部８４８２ａ）の内周部分（内壁）ｘａを順に外方（直線矢示線方向）に押圧して徐々にその径を拡げ、その外周部分（外壁）ｙａを保持部材８４７０の内壁面８４７２に圧接させていく。
【０１１６】
そして、回転押圧部材８４６０が図２４（ｃ）に示す固定位置まで回転すると、挿入部８４８２ａの圧接力により、保持部材８４７０の移動が抑制される。そのため、保持部材８４７０に固設されている回転操作体８４１０（回転ハンドル８４１１）も、遊技者が手を離したとしても初期位置には戻らず、所望の回転操作位置に固定維持される。ここで、固定位置とは、回転押圧部材８４６０が解除位置から正転方向に回転し、その段部ｍが再び解除位置にくる直前又は略直前まで回転した位置をいい、回転操作体８４１０が付勢ばね８４１９の付勢力に抗して固定維持された状態となる位置をいう。本実施例においては、固定位置は、解除位置から略８分の７回転した位置であり、回転操作体８４１０のうち最も回転中心点Ｏからの距離が長い部分である段部ｍが、係合段部ｎのある最も厚さの厚い分割片８４８２ｉまで回転移動した位置であるが、これに限らず、回転操作体８４１０が付勢ばね８４１９の付勢力に抗して固定維持された状態となる位置であればよい。
【０１１７】
遊技者は、固定維持された回転操作体８４１０（回転ハンドル８４１１）の位置を変更したい場合や、遊技を終了したい場合、すなわち、固定機構８４５０の機能を解除したい場合には、回転カバー８４３０をさらに少し（本実施例においては、略８分の１回転分）正転方向に回転操作すればよい。回転押圧体８４６０を、再び解除位置まで回転移動させることにより、固定機構８４５０の機能を解除することができる。また、その際、段部ｍの通過により分割片８４８２ｉが回転軸方向へ勢いよく戻り、回転押圧部材８４６０の側面を弾くため、遊技者はその振動や音により、固定が解除されたことを認識できる。なお、最終的に回転押圧部材８４６０を固定位置まで回転させて回転操作体８４１０（回転ハンドル８４１１）を固定維持させれば、上述のような固定方法に限られない。例えば、回転押圧部材８４６０を解除位置から少し固定位置方向に回転させ固定機構の機能を少し効かせた状態で、回転操作体８４１０（回転ハンドル８４１１）を所望の回転操作位置まで回転操作し、その後回転押圧部材８４６０を固定位置まで回転移動させてもよい。
【０１１８】
なお、固定機構８４５０の各部材の形状、大きさ、構成、素材等は、上述した実施例に限らず、実施例の要旨を逸脱しない範囲で種々変更できる。遊技者が回転操作をすることにより、回転押圧部材８４６０の周縁が、可撓部材８４７０を押圧して保持部材８４８０に圧接し、その移動を制限して回転操作体８４１０を所望の回転操作位置に固定維持することができればよい。実施例１においては、図２５に示すように、回転押圧部材８４６０の周縁の形状Ｖと可撓部材８４８０（挿入部８４８２ａ）の中空部の横断面形状を略同形状としたが、これに限らず、例えば、以下のような形状（構成）とすることもできる。
【０１１９】
図２５は、固定機構８４５０の変形例である固定機構８４５０１，８４５０２による回転操作体８４１０の固定方法を説明するための、回転押圧部材８４６０１，８４６０２と可撓部材８４８０１，８４８０２と保持部材８４７０との関係を示す部分断面図であり、（ａ）は変形例１、（ｂ）は変形例２を示す。なお、実施例１と異なる回転押圧部材８４６０１，８４６０２と挿入部８４８２ａ１，８４８２ａ２の形状のみを説明し、実施例１と同様の構成については、同様の符号、名称を付す等して重複する説明は省略する。
【０１２０】
変形例１は、可撓部材８４８０１（挿入部８４８２ａ１）を横断面略円弧状の柱状部材とし、回転押圧部材８４６０１を略扇形形状の板状部材として、回転押圧部材８４６０１の外周縁の一部のみが可撓部材８４８０１（挿入部８４８２ａ１）を押圧するように構成したものである。具体的には、回転押圧部材８４６０１は、可撓部材８４８０１を押圧する円弧状の外周である押圧部８４６８１が、回転中心点Ｏを中心とする半径ｒ１の円弧形状に形成されている。また、可撓部材８４８０１（挿入部８４８２ａ１）は、その内径がｒ１から時計回りに徐々に小さくなるように（厚さが内方に向かって厚くなるように）形成されている。
【０１２１】
変形例２は、可撓部材８４７０２（挿入部８４８２ａ２）を横断面円弧状（内径の大きさがｒ１）の柱状部材として厚さを一定にし、略扇形形状の板状部材である回転押圧部材８４６０２の押圧部８４６８２を、回転中心点Ｏを中心とする半径ｒ１から反時計回りに徐々に大きくなるように形成したものである。なお、可撓部材８４８０１，８４７０２の外周は、回転押圧部材８４６０１の回転中心点Ｏを中心とした円Ｒｘ（図示せず）上に位置するように形成されている。
【０１２２】
変形例１，２のように、回転押圧部材８４６０１，８４６０２の押圧部８４６８１，８４６８２と、可撓部材８４８０１，８４８０２の内周との少なくともどちらか一方が、回転カバー８４３０の回転方向に向かって連続的に回転軸方向に近づくように形成してもよい。回転押圧部材８４６０１，８４６０２の押圧部８４６８１，８４６８２が摺接した際に可撓部材８４８０１，８４８０２を徐々に押圧し、保持部材８４７０に圧接させることができる。なお、変形例１，２においては、保持部材８４７０は、保持部材８４７０が回転移動する範囲内で、かつ、回転押圧部材８４６０１，８４６０２等が可撓部材８４８０１，８４８０２を押圧する範囲内で、その内壁面８４７２が可撓部材８４８０１，８４８０２と内接するように配設されていればよい。よって、必ずしも円筒形状である必要はなく、例えば、円筒をその回転軸方向と平行に分割した、横断面が円弧状の柱状部材であってもよい。ただし、圧接力が掛かった際の強度を保つためには、円筒形状とすることが望ましい。
【０１２３】
本実施例（以下、変形例１，２を含む）において、回転カバー８４３０の回転方向を示す表示８４３３ｂがその膨出部８４３３に設けられているが、さらに固定機構８４５０の固定位置及び解除位置を示す表示をつけてもよい。可撓部材８４８０，８４８０１，８４８０２はハンドル基部８４２０に固定されているため、これらの位置が変化することはない。なお、回転ハンドル８４１０を操作している遊技者が視認しやすい位置に設けることが望ましい。また、回転ハンドル８４１０に２つの指を掛けたまま、回転カバー８４３０を親指のみで操作できるように、その表面に滑り止めや凹部を形成しても良い。さらに、本実施例では、回転カバー８４３０の回転方向を回転操作体８４１０の回転方向と同じ正転方向としたが、逆方向に構成してもよい。
【０１２４】
さらに、可撓部材８４８０，８４８０１，８４８０２をハンドル基部８４２０に固定し、回転押圧部材８４６０，８４６０１，８４６０２を回転カバー８４３０に固設して回転可能としたが、これに限らず、例えば、回転押圧部材８４６０，８４６０１，８４６０２をハンドル基部８４２０に固定し、可撓部材８４８０，８４８０１，８４８０２を回転カバー８４３０に固設して回転可能とする逆の構成としてもよい。回転押圧部材８４６０，８４６０１，８４６０２と可撓部材８４８０，８４８０１，８４８０２のどちらか一方が固定され、他方が回転すれる構成であればよい。
【０１２５】
本発明のパチンコ機１０によれば、簡単な構造である固定機構８４５０，８４５０１，８４５０２を組み込むことにより、回転ハンドル８４１１を所望の回転操作位置で一時的に固定することができる。また、回転ハンドル８４１１を固定する際に保持部８４７１に掛かる圧接力の大きさは、回転押圧体８４６０，８４６０１，８４６０２の大きさや可撓部材８４８０の挿入部８４８２ａ，８４８４ａ１，８４８４ａ２の壁の厚さを適宜変更するだけで、容易に調整が可能である。
【０１２６】
実施例１の固定機構８４５０及び変形例２の固定機構８４５０２では、回転押圧部材８４６０，８４６０２の周縁に、前面視逆転方向に向かって回転軸線から距離が徐々に長くなるように、連続的に曲率を変化させた曲線部８４６４、押圧部８４６８２が形成されている。また、変形例１の固定機構８４５０１では、挿入部８４８２ａ１に、前面視正転方向に向かって回転軸線から距離が徐々に短くなるように、連続的に曲率を変化させた内壁面が形成されている。そのため、保持部材８４７０に対して可撓部材８４８０，８４８０１，８４８０２を徐々に締め付けることができるので、微調整した回転ハンドル８４１０の位置をずらしてしまうことなく固定することが可能である。
【０１２７】
また、回転押圧部材８４６０，８４６０１，８４６０２（回転カバー８４３０）を、固定位置からさらに正転方向に少し回すだけで解除位置に移動させることができるので、回転押圧部材８４６０，８４６０１，８４６０２（回転カバー８４３０）を逆方向に戻す必要がなく、一瞬で固定状態を解除することができる。さらに、回転カバー８４３０の回転操作方向を回転ハンドル８４１１の回転操作方向と同一方向に設定していること、支点（回転軸線）から遊技者が操作する力点（回転カバー８４３０）までの距離が、押圧力が働く作用点（可撓部材８４８０，８４８０１，８４８０２）までの距離よりも長いことにより、遊技者が容易に回転押圧部材８４６０，８４６０１，８４６０２（回転カバー８４３０）を操作することができる。
【０１２８】
本実施例の固定機構８４５０等においては、回転カバー８４３０の連結ボス部８４３３ａにより、可撓部８４８１に挿入された回転押圧部材８４６０等を、可撓部８４８１の軸方向の先端側に保持している。分割片８４８２において、回転押圧部材８４６０等により押圧される挿入部８４８２ａ等とフランジ部８４８７との間に支持部８４８２ｂを設けて間隔をあけることにより分割片８４８２の基部に応力が集中してしまうのを防ぐことができる。また、挿入部８４８２ａ等が薄く形成されている分割片８４８２においても、支持部８４８２ｂは他の分割片８４８２と同様に挿入部８４８２ａ等よりも厚く形成されているので、破損しにくくなっている。
【０１２９】
さらに、分割片８４８２の支持部８４８２ｂには、挿入部８４８２ａとの厚さの違いによる段差だけでなく、突条部８４８２ｃを設けることにより、より幅の大きい段差αが形成されている。この段差αにより回転押圧部材８４６０の前面側が支えられるので、回転押圧部材８４６０のぐらつきを抑え、スムーズに回転させることができる。
【０１３０】
保持部材８４７０の保持部８４７１の内壁面８４７２には、上述したしように凹凸が形成されている。可撓部材８４８０等が圧接した際に、凹凸が変形して緩衝材の役目を果たすとともに、摩擦係数を大きくして確実に保持部材８４７０を固定することができる。
【０１３１】
実施例１の固定機構８４５０によれば、曲線部８４６４の中心角度が大きくなるように回転押圧部材８４６０の周縁を形成しているので、可撓部材８４８０を徐々に緩やかに撓ませることができ、破損させる虞が少ない。
可撓部８４８１をコレット状とするとともに、回転押圧部材８４６０を可撓部８４８１（挿入部８４８２ａ）の中空部分と同形状Ｖとすることにより、回転押圧部材８４６０は、その前面側周縁の全体が分割片８４８２の段差αによって位置決めされ、これに摺接してより安定した状態で回転移動する。また、回転押圧部材８４６０は、その周縁全周（段部ｍを除く）において曲率が連続的に変化するように形成されているので、切り込み部分（分割片８４８２の側面部分）に引っ掛かることがない。さらに、挿入部８４８２ａと回転押圧部材８４６０との接触面積が大きくなるので、より効果的に押圧することができる。
【０１３２】
以下、上述した実施の形態から抽出される発明群の特徴について、必要に応じて効果等を示しつつ説明する。
【０１３３】
遊技機Ａ
遊技機Ａは、パチンコ玉（遊技球）で遊技をする遊技機に係り、特に、遊技球の発射初速度を可変する回転型の遊技球発射ハンドルを備えたパチンコ等の遊技機に関する。
【０１３４】
パチンコ等の遊技機においては、遊技領域内へ打ち込まれた遊技球が入賞口等へ入賞することにより、所定の遊技価値が付与される。遊技球の発射初速度は、可変抵抗器を用いた発射操作装置（遊技球発射ハンドル）により制御される。発射操作装置は、遊技者が手で回転操作する回転ハンドル（ハンドルリング）を有し、回転ハンドルの回転角度に応じて可変抵抗器の抵抗値が変化し、遊技球の発射初速度を調節するように構成されている。遊技者は、回転ハンドルの回転角度を調節することにより、遊技球を好みの発射初速度で遊技領域内へ打ち込むことができる。
【０１３５】
また、回転ハンドルには、遊技者が手を離すと自動的に操作前の初期位置に戻る付勢手段が取り付けられると共に、遊技者の手の接触を検知して遊技球を発射可能な状態にする検知手段（タッチスイッチ）が取り付けられている。遊技球の発射初速度を所定の速度に維持するためには、遊技者は、回転ハンドルの回転量が一定となるようにこれを保持する必要があるが、手や肩等に負担のかかるものであった。そこで、遊技者が手を緩めても、回転操作体を所望の回転操作位置で一時的に固定させることができる機構を備えた遊技機が提案されている。
【０１３６】
例えば、特許文献２の特開２０１３−１３８７３９号公報「遊技機」には、支持体と、前記支持体に対して回転可能に支持されるハンドルリングと、前記ハンドルリングを所定の回転方向に付勢する付勢手段とを有し、遊技者が前記付勢手段による付勢力に抗して前記ハンドルリングを回転させることにより遊技領域に遊技媒体が発射される遊技機であって、前記支持体に対して、前記ハンドルリングの回転軸と同軸に回動可能に支持され、遊技者が操作可能なように第１の端部が前記支持体から突出する第１部材と、前記ハンドルリングが付勢される回転方向と同一の回転方向に回転して第２の端部が前記ハンドルリングの内周面に当接可能なように、前記支持体に対して、前記ハンドルリングの回転軸とは異なる軸に回動可能に支持される第２部材と、を備え、前記第１部材と前記第２部材の一方には、該一方の回動中心から離れる方向に長い長孔が形成されており、前記第１部材と前記第２部材の他方には、前記長孔に係合する突起が形成されており、遊技者による前記第１部材の回動操作に応じて前記第２部材の第２の端部が前記ハンドルリングの内周面に当接する、ことを特徴とする遊技機が提案されている。
【０１３７】
【特許文献２】特開２０１３−１３８７３９号公報
【０１３８】
特許文献２の「遊技機」によれば、遊技者が第１部材を回動操作して第２部材をハンドルリングの内周面に当接させることにより、ハンドルリングを回転操作した状態で保持することができる。
【０１３９】
特許文献１の「遊技機」は、ハンドルリングの回転軸とは異なる位置に支点を設け、長孔が形成された第２部材の、略円弧状の先端部の一点をハンドルリングの内周面に当接させる構成であるため、各部材が小さく複雑な構造となりその調整が困難であるという問題があった。
【０１４０】
本発明は、かかる問題点等を解決するために創案されたものである。すなわち、本発明の目的は、簡単な構成で、回転ハンドルを所望の回転操作位置で一時的に固定させることができる固定機構を有する遊技機を提供することにある。
【０１４１】
遊技機Ａ１は、遊技領域に向けて遊技球を発射すべく操作される発射操作装置が備えられた遊技機であって、
前記発射操作装置は
遊技機本体に取り付けられるハンドル基部と、
前記ハンドル基部に組み付けられ、回転操作の角度に基づいて遊技球の発射初速度を調整する回転ハンドルと、
前記ハンドル基部及び前記回転ハンドルに組み付けられ、該回転ハンドルの戻りを一時的に抑止する固定機構と、を備え、
前記固定機構は、
前記回転ハンドルと別々に回転する略円板状の押圧部材と、
前記押圧部材の周壁面の少なくとも一部が接する可撓片を有し、該押圧部材を囲むようにその基端が前記ハンドル基部に固定される可撓部材と、
前記可撓片を囲むような略円筒形状の壁部を有し、その基端が前記回転ハンドルに固定される保持部材と、を具備し、
前記押圧部材の周壁面の前記可撓片と接する部分と、前記可撓片の内壁面の前記押圧部と接する部分の少なくともどちらか一方は、前記回転ハンドルの回転操作方向に向かってその回転軸線からの距離が徐々に短くなるように形成され、
前記固定機構は、前記回転ハンドルの回転操作方向と同方向に回転操作された前記押圧部材が前記可撓部材に接する際に、該可撓部材を押圧して外方に撓ませ、該可撓部材を前記保持部材の壁部に圧接させることにより、前記回転ハンドルの動きを一時的に抑止するように構成した、ことを特徴とする遊技機。
遊技機Ａ１によれば、回転押圧部材を回転操作することにより可撓性のある可撓部材を押圧して、回転ハンドルに固定された保持部材に圧接させることにより、簡単な構成で回転ハンドルを一時的に固定することができる。固定機構により、徐々に締め付けて回転ハンドルの動きを抑止するので、微調整して所望の角度に回転操作した回転ハンドルの位置をずらしてしまうことなく固定することが可能である。固定位置からさらに少し回すだけで解除位置に移動させることができるので、一瞬で固定状態を解除することができる。
【０１４２】
遊技機Ａ２は、前記押圧部材の周壁面は、前記回転ハンドルの回転操作方向に向かって前記回転軸線からの距離が徐々に短くなるように略全周にわたって形成された略円弧状の弧状部と、その最長部分と最短部分が隣接する位置の段部とからなる、ことを特徴とする遊技機Ａ１の遊技機。
遊技機Ａ２によれば、押圧部材の略全周にわたって形成された弧状部により、可撓部材を徐々に緩やかに撓ませることができ、破損させる虞が少ない。弧状部の曲率が小さいので、可撓部材と回転押圧部材との接触面積が大きくなるので、より効果的に押圧することができる。
【０１４３】
遊技機Ａ３は、前記可撓片の前記回転軸線方向の全長は、前記押圧部材と接する部分の厚さよりも長く、
前記押圧部材は、前記可撓片の先端側に接するように配置される、ことを特徴とする遊技機Ａ１又は遊技機Ａ２の遊技機。
遊技機Ａ３によれば、可撓片の基部に応力が集中してしまうのを防ぐことができる。
【０１４４】
遊技機Ａ４は、前記可撓片において、前記押圧部材と接する部分よりも基端側には、該押圧部材と接する部分の厚さに関わらず所定の厚さとなるように形成された支持部が設けられている、ことを特徴とする遊技機Ａ３の遊技機。
遊技機Ａ４によれば、可撓片において、押圧部材と接する部分の厚さが薄くてもその基端側の支持部の厚さを厚くして補強するので、破損しにくくすることができる。
【０１４５】
遊技機Ａ５は、前記可撓片の内周壁には、前記押圧部材の前記回転軸線方向における位置決めをするために、内方に突出する突条が周方向に形成されている、ことを特徴とする遊技機Ａ１、Ａ２、Ａ３、Ａ４のいずれかの遊技機。
遊技機Ａ５によれば、押圧部材のぐらつきを防ぎ、スムーズに回転させることができる。
【０１４６】
遊技機Ａ６は、前記固定機構が、前記押圧部材を前記回転ハンドルの回転操作方向と逆方向に回転操作することにより機能するように、前記回転ハンドルの回転操作方向に向かって前記回転軸線からの距離が徐々に短くなるように形成するかわりに、前記回転ハンドルの回転操作方向に向かって前記回転軸線からの距離が徐々に長くなるように形成した、ことを特徴とする遊技機Ａ１、Ａ２、Ａ３、Ａ４、Ａ５のいずれかの遊技機。
遊技機Ａ６によれば、押圧部材を回転ハンドルの回転操作方向と逆方向に操作して、回転ハンドルを一時的に抑止することができる。
【０１４７】
遊技機Ａ７は、前記押圧部材を前記可撓部材の代わりに前記ハンドル基部に固定し、前記可撓部材を前記押圧部材の代わりに回転操作可能とした、ことを特徴とする遊技機Ａ１、Ａ２、Ａ３、Ａ４、Ａ５、Ａ６のいずれかの遊技機。
遊技機Ａ７によれば、可撓部材を押圧部材の代わりに回転操作可能とすることができる。
【産業上の利用可能性】
【０１４８】
本発明の遊技機の固定機構は、主にパチンコ機の遊技機に利用することができるが、回転する部材を一時に固定する構成を有するものであれば、パチンコ機以外の様々な遊技機等に利用することができる。
【符号の説明】
【０１４９】
１０…遊技機としてのパチンコ機、２２…遊技機ベースユニット、２３…遊技機前面ユニット、６１…遊技盤、６２…一般入賞口、６３…可変入賞装置、８０…遊技球発射機構、８４…遊技球発射ハンドル、８４１０…回転操作体、８４１１…ハンドルリング、８４１２ｃ…貫通孔、８４１５…主動ギア、８４１７…回転主軸、８４１９…付勢バネ、８４２０…ハンドル基部、８４２３…軸受け部、８４３０…回転カバー、８４３３…連結ボス部ａ、８４３３ｂ…表示部、８４４０…連結支持部材、８４４１ａ，８４４１ｂ…ボス部、８４４３…軸孔、８４４５…取付孔、８４５０，８４５０１，８４５０２…固定機構、８４６０，８４６０１，８４６０２…回転押圧部材、８４６９…ねじ孔、８４６１…周壁面、８４６３…周縁、８４６４…曲線部、８４６５…直線部、ｍ…段部、８４６８１，８４６８２…押圧部、８４７０…保持部材、８４７１…保持部、８４７２…内壁面、８４７３…突起部、８４８０，８４８０１，８４８０２…可撓部材、８４８９…ボス部、８４８１…可撓部、８４８２…分割片、ｘ…内壁面、ｙ…外壁面、８４８７…フランジ部、８４８２ａ，８４８２ａ１，８４８２ａ２…挿入部、８４８２ｂ…支持部、８４８２ｃ…突条部、ｎ…係合段部、α…段差
【図１】
2015196039.tif 000003
【図２】
2015196039.tif 000004
【図３】
2015196039.tif 000005
【図４】
2015196039.tif 000006
【図５】
2015196039.tif 000007
【図６】
2015196039.tif 000008
【図７】
2015196039.tif 000009
【図８】
2015196039.tif 000010
【図９】
2015196039.tif 000011
【図１０】
2015196039.tif 000012
【図１１】
2015196039.tif 000013
【図１２】
2015196039.tif 000014
【図１３】
2015196039.tif 000015
【図１４】
2015196039.tif 000016
【図１５】
2015196039.tif 000017
【図１６】
2015196039.tif 000018
【図１７】
2015196039.tif 000019
【図１８】
2015196039.tif 000020
【図１９】
2015196039.tif 000021
【図２０】
2015196039.tif 000022
【図２１】
2015196039.tif 000023
【図２２】
2015196039.tif 000024
【図２３】
2015196039.tif 000025
【図２４】
2015196039.tif 000026
【図２５】
2015196039.tif 000027